(57)【要約】【課題】デジタルテレビ放送の受信中に良好に受信できなくなると他のメディアの信号に切り換え、受信状態が良好な状態に復帰すると元のデジタルテレビ放送の受信に切り換えられるテレビ受信装置を提供する。【解決手段】受信処理したデジタルテレビ放送信号を外部へ出力するテレビ受信装置において、デジタルテレビ放送信号の受信状態を検出する検出回路を備え、放送信号の出力中にデジタルテレビ放送信号の受信状態が悪化し、デジタルテレビ放送の画面がフリーズ状態にあることを検出した時に、放送信号からデジタルテレビ放送とは異なるメディアの信号を出力するソース源からの出力信号に切り換えて外部へ出力する。検出回路は、ＡＧＣ回路の出力信号の変化量、復調された復号信号の誤り量等を基に受信状態を判断する。【選択図】    図１
2005057371.tif 000002
【特許請求の範囲】
【請求項１】
移動体に搭載され、デジタルテレビ放送信号を受信処理する受信手段を備え、受信処理された放送信号を外部へ出力するテレビ受信装置において、
前記デジタルテレビ放送信号の受信状態を検出する受信状態検出手段と、
前記放送信号の出力中に前記受信状態検出手段が前記デジタルテレビ放送信号の受信状態が悪化し、デジタルテレビ放送の画面がフリーズ状態にあることを検出した時に、前記放送信号から該デジタルテレビ放送とは異なるメディアの信号を出力するソース源からの出力信号に切り換えて、外部へ出力する切換手段を備えたことを特徴とするテレビ受信装置。
【請求項２】
前記受信手段は、中間周波に変換されたデジタルテレビ放送信号を増幅する中間周波増幅回路と、該中間周波増幅回路から出力される信号のレベルを一定に保つために前記中間周波増幅回路へＡＧＣ制御信号を出力するＡＧＣ検波回路とを備え、
前記受信状態検出手段は、
前記ＡＧＣ検波回路から前記中間周波増幅回路に出力されるＡＧＣ制御信号の信号レベルの変化量に基づいて前記デジタルテレビ放送信号の受信状態を検出することを特徴とする請求項１記載のテレビ受信装置。
【請求項３】
前記受信手段は、受信されたデジタルテレビ放送信号中から同期信号を検出する同期検出回路を備え、
前記受信状態検出手段は、
前記同期検出回路における受信信号中の同期パルスのピーク値の検出量に基づいて前記デジタルテレビ放送信号の受信状態を検出することを特徴とする請求項１記載のテレビ受信装置。
【請求項４】
前記受信手段は、デジタルテレビ放送信号を高速フーリエ変換し、復調する復調回路と、該復調回路において復調された信号の誤りを検出し、訂正する誤り訂正回路を備え、
前記受信状態検出手段は、
前記誤り検出回路における受信信号のエラー量に基づいて前記デジタルテレビ放送信号の受信状態を検出することを特徴とする請求項１記載のテレビ受信装置。
【発明の詳細な説明】
【０００１】
【発明の属する技術分野】
本発明は、デジタルテレビ放送信号を受信するテレビ受信装置に係り、詳細にはデジタルテレビ放送の受信中に電界強度が悪化して、映像がフリーズしたり、音声が途切れる際に、他の入力源に切り換える方法に関する。
【０００２】
【従来の技術】
デジタルテレビ放送波を受信するテレビ受信装置では、受信状態が変化しても常にＡ／Ｄ変換回路への入力が一定になるように、ＡＧＣ検波回路の出力を基に、電界強度が低い時は中間周波増幅回路の増幅利得を高くするように、また、電界強度が高い時は増幅利得を低くするように、ＡＧＣ制御信号を出力してフィードバックをかけている。また、復号回路の後に誤り訂正回路を備えて受信データの誤りの検出と、訂正を行っている。その結果、電界強度が多少悪化してもアナログテレビのように、画質が低下することなく良好な画質や音声が得られる。
【０００３】
【特許文献１】
特開２０００−２６１７３１号
【特許文献２】
特開２０００−１３８８７４号
【０００４】
【発明が解決しようとする課題】
しかし、移動体、例えば車載用のテレビ受信装置では、車両の走行に応じて、特に、山間部やトンネル内では、電波の受信状態が大きく、また、急激に変化する。このような状態で受信を継続していると、例え、ＡＧＣ回路や誤り訂正回路を備えていても、受信データの誤り訂正ができなくなり、頻繁に画像が固定して動かない状態（フリーズ）になったり、音声が途切れるようになる。その結果、ユーザに不快感を与えることとなる。
【０００５】
本発明は、このような点に鑑みなされたもので、デジタルテレビ放送の受信中に良好に受信できなくなると他の入力源に切り換え、受信状態が良好な状態に復帰すると元のデジタルテレビ放送の受信に切り換えられるテレビ受信装置を提供することを課題とする。
【０００６】
【課題を解決するための手段】
上記目的を達成するために、本発明は、移動体に搭載され、デジタルテレビ放送信号を受信処理する受信手段を備え、受信処理された放送信号を外部へ出力するテレビ受信装置において、前記デジタルテレビ放送信号の受信状態を検出する受信状態検出手段と、前記放送信号の出力中に前記受信状態検出手段が前記デジタルテレビ放送信号の受信状態が悪化し、デジタルテレビ放送の画面がフリーズ状態にあることを検出した時に、前記放送信号から該デジタルテレビ放送とは異なるメディアの信号を出力するソース源からの出力信号に切り換えて、外部へ出力する切換手段を備えたことを特徴とするものである。
【０００７】
また、前記受信手段は、中間周波に変換されたデジタルテレビ放送信号を増幅する中間周波増幅回路と、該中間周波増幅回路から出力される信号のレベルを一定に保つために前記中間周波増幅回路へＡＧＣ制御信号を出力するＡＧＣ検波回路とを備え、前記受信状態検出手段は、前記ＡＧＣ検波回路から前記中間周波増幅回路に出力されるＡＧＣ制御信号の信号レベルの変化量に基づいて前記デジタルテレビ放送信号の受信状態を検出することを特徴とするものである。
【０００８】
また、前記受信手段は、受信されたデジタルテレビ放送信号中から同期信号を検出する同期検出回路を備え、前記受信状態検出手段は、前記同期検出回路における受信信号中の同期パルスのピーク値の検出量に基づいて前記デジタルテレビ放送信号の受信状態を検出することを特徴とするものである。
【０００９】
また、前記受信手段は、デジタルテレビ放送信号を高速フーリエ変換し、復調する復調回路と、該復調回路において復調された信号の誤りを検出し、訂正する誤り訂正回路を備え、前記受信状態検出手段は、前記誤り検出回路における受信信号のエラー量に基づいて前記デジタルテレビ放送信号の受信状態を検出することを特徴とするものである。
【００１０】
【発明の実施の形態】
本発明の実施の形態に係るテレビ受信装置について、図面を参照して説明する。図１は本発明の一実施の形態に係るテレビ受信装置の構成を示すブロック図である。図２は本発明の一実施の形態に係るテレビ受信装置の制御部２の行う切換処理のフローチャートである。
【００１１】
１はデジタルテレビ放送波を受信するデジタルテレビ放送受信部である。１１は指示されたチャンネルの高周波放送波を選択受信するチューナ部である。１２は中間周波に変換された受信信号をＡＧＣ検波回路１３の出力に基づいて増幅する中間周波増幅回路である。１３は中間周波信号をＡ／Ｄ変換回路でデジタル信号に変換し、受信レベルを一定に保つために検波信号に基づいて入力信号（中間周波増幅回路１２）にフィードバックをかけるＡＧＣ（オートマティック・ゲイン・コントロール）検波回路で、受信レベルが低い程高い信号レベルのＡＧＣ制御信号が出力される。１４は受信データの中から同期信号を検出する同期検出回路である。１５は受信データを高速フーリエ変換し、復調する復調回路である。１６は復調された信号の誤りを検出し、訂正する誤り訂正回路である。１７はＭＰＥＧ方式で圧縮符号化された映像信号と音声信号を分離し、それぞれ対応するＭＰＥＧデコーダで元に伸張し、復号して映像信号と音声信号を切換回路２０に出力する信号処理部である。１８は受信したテレビ画像を表示する液晶表示部である。１９は受信したテレビ・ラジオ音声信号やＣＤプレーヤ等で再生した音声信号を増幅し、スピーカに出力する音声出力部である。
【００１２】
２は受信状態を検出（判断）する検出回路２１，２２，２３の検出結果に基づいて切換回路２０に切り換えを指示するマイクロコンピュータで構成された制御部である。制御部２には操作部２４より入力された切り換え設定のＯＮ／ＯＦＦや切換制御のデータを記憶するメモリを有し、このメモリの内容によって入力を切り換える。また、外部入力の状態を検出したり、液晶表示部１８や音声出力部１９へメッセージを出力する。２０はデジタルテレビ受信部１の出力信号と他の入力源３からの入力信号を切り換える切換回路である。２１はＡＧＣ検波回路１３における出力であるＡＧＣ制御信号の信号レベルの変化量（時間的変化量）を検出する変化量検出回路で、受信状態の急激な変化を検出する。２２は同期検出回路１４の出力である同期パルスのピーク値を検出するピーク量検出回路で、映像の乱れや画面の安定に関係がある。２３は誤り訂正回路１６におけるエラー量（率）を検出するエラー量検出回路である。２４はユーザにより他の入力源３の選択、デジタルテレビ信号と他の入力源３の切換設定を行うための操作部である。
【００１３】
３はテレビ受信装置に接続されたデジタルテレビ放送とは異なるメディアの信号を出力するソース源（他の入力源）で、アナログテレビ放送波を受信するアナログテレビ受信部、ＡＭ／ＦＭ放送波を受信するラジオ受信部、ＣＤ（コンパクトディスク）に記録された音楽情報等を再生するＣＤプレーヤ、ＭＤ（ミニディスク）に記録された音楽情報等を再生するＭＤプレーヤ等からなっている。尚、これらの入力源３の出力は切換回路２０を介して液晶表示部１８や音声出力部１９に接続されている。
【００１４】
次に、制御部２の行う切換処理について述べる。尚、本処理はテレビ受信装置の電源が投入された時点から開始する。
【００１５】
ステップＳ１１では、デジタルテレビ放送を受信してステップＳ１２に移る。つまり、受信した映像情報を液晶表示部１８に、また、音声情報を音声出力部１９に出力する。
【００１６】
ステップＳ１２では、ＡＧＣ制御信号の信号レベルの変化量が設定値以上であるか否かを判断して変化量が設定値以上であればステップＳ１３に移り、変化量が設定値以上でなければデジタルテレビ放送の受信を継続する。車両に搭載されたテレビ受信装置では、平野部、山間地、トンネル等の走行環境に伴って受信状態が大きく変化する。そこで、ＡＧＣ検波回路１３の出力を基にＡＧＣ制御信号を出力して、中間周波増幅回路１２の増幅利得を高めるようにフィードバックをかけ、常にＡ／Ｄ変換回路への入力が一定になるようにしている。ＡＧＣ制御信号は受信状態が悪化すると高く、受信状態が回復すると低くなるように出力される。これを利用してＡＧＣ検波回路１３におけるＡＧＣ信号レベルの変化量を変化量検出回路２１で検出し、ＡＧＣ制御信号の信号レベルの変化量が設定値以上であれば受信状態が急激に悪化したと判断できる。尚、設定値はデジタルテレビ放送の画面がフリーズ（固定）する直前の信号レベルの変化量に設定される。あるいは、フリーズしている時の信号レベルでもよい。尚、本例では、フリーズ直前をフリーズ状態と判断するようにしているが、その他フリーズ中になるとフリーズ状態にあると判断して、他のメディアに切り換えるようにしてもよい。
【００１７】
ステップＳ１３では、ユーザにより入力源を切り換えるように設定されているか否かを判断して切り換えが設定されておればステップＳ１４に移り、切り換え設定されていなければステップＳ１１に戻る。これは、ユーザの設定操作に基づいて判断する。
【００１８】
ステップＳ１４では、他の入力源３に切り換えられるか否かを判断して切り換えられる状態ならばステップＳ１５に移り、切り換えられない状態ならば待機する。つまり、他の入力源３であるアナログテレビ受信部がアナログテレビ放送波を良好に受信できる状態（例えば、搬送波の受信レベルが所定値以上である状態）にあるか、ラジオ受信機がＡＭ／ＦＭ放送波を良好に受信できる状態にあるか、ＣＤプレーヤやＭＤプレーヤにディスクが挿入され、再生が可能な状態にあるかを各機器の受信状態や、再生準備状態から判断する。
【００１９】
ステップＳ１５では、他の入力源３に切り換えてステップＳ１６に移る。つまり、デジタルテレビ放送の受信状態がよくないので、予めユーザにより設定されている代替順序（優先順位）に従って他の入力源３に切り換える。例えば、アナログテレビ、ラジオ、ＣＤプレーヤ、ＭＤプレーヤの順に、受信状態や再生準備状態が整っておれば、その入力源に切り換える。尚、切換に際して、事前に画面（液晶表示部１８）にデジタルテレビの受信状態が悪化している旨のメッセージ（表示）と、どの入力源（例えば、アナログテレビ）に切り換えるかを表示するようにしてもよい。この表示によりユーザが切り換えにともなう違和感をなくすことができる。
【００２０】
ステップＳ１６では、ＡＧＣ制御信号の信号レベルの変化量が設定値以上であるか否かを判断して変化量が設定値以上であれば他の入力源３の受信または他の入力源３の再生を継続し、変化量が設定値以上でなければステップＳ１１に戻ってデジタルテレビ放送を受信するように切換回路２０に指示する。この判断は例えば、ＡＧＣ検波回路１３におけるＡＧＣ制御信号の信号レベルの変化量を変化量検出回路２１で検出し、ＡＧＣレベルの変化量が設定値以上でなければ受信状態が改善されたと判断する。このステップによりデジタルテレビ受信部１の受信状態が改善されたならば、即座にデジタルテレビ放送の受信に戻れるようになる。
【００２１】
尚、受信状態が悪化してデジタルテレビ放送の受信からＣＤ演奏やＭＤ演奏に切り換わった状態で、ＡＧＣ信号レベルの変化量が設定値未満になっても（受信状態が改善されても）、直ちにデジタルテレビ放送の受信に切り換えるのではなく、現在再生中の曲の演奏が終了した時点で切り換えるようにしてもよい。このようにすれば、ユーザはＣＤやＭＤの再生中に曲の中途で突然切り換わる違和感がなくなる。また、切り換えに際してフェードアウトするように切り換えると違和感が一層軽減される。
【００２２】
このように、本実施の形態のテレビ受信装置によれば、デジタルテレビ放送受信部１の受信状態が悪化して画像がフリーズしたり、音声が途切れるようになる前に、ＡＧＣ信号レベルの変化量を検出して変化量が設定値以上になると、他の入力源３に切り換えるので、ユーザが感ずる違和感を軽減できる。また、受信状態が改善されると、直ちに元のデジタルテレビ放送を受信するように復帰できる。
【００２３】
尚、本例においては、ＡＧＣ信号レベルの変化量が設定値以上になったことを検出してデジタルテレビ放送波の受信状態が悪くなったと判断しているが、これに限らず、ステップＳ１２、Ｓ１６に代えて、他の方法で受信状態が悪化したことを検出して、他の入力源３に切り換えるようにしてもよい。
【００２４】
例えば、受信データ中の同期コードのピーク値の検出量が低いと、映像の同期が乱れて表示画面が安定しない。そこで、同期検出部１４における同期コードのピーク値をピーク量検出回路２２で検出して、検出量が設定値以下に低下したことを検出してデジタルテレビ放送波の受信状態が悪化したと判断して、他の入力源３に切り換えるようにしてもよい。
【００２５】
また、受信データのエラー量（率）が多くなると、正常な画像が表示できなくなる。そこで、誤り検出・訂正回路１７におけるエラー量をエラー量検出回路２３で検出して、検出値が設定値を超えたことを検出してデジタルテレビ放送波の受信状態が悪化したと判断して、他の入力源３に切り換えるようにしてもよい。
【００２６】
また、上記、変化量検出回路２１、ピーク量検出回路２２、エラー量検出回路２３の検出結果の２つ、または３つの組み合わせでデジタルテレビ放送波の受信状態の良否を判断して、他の入力源３に切り換えるようにしてもよい。
【００２７】
尚、移動体として車載用を適用したが、ＰＤＡ（移動体端末機）であってもよい。
【００２８】
【発明の効果】
以上説明したように、本発明によれば、デジタルテレビ放送の受信中に良好に受信できなくなると他の入力源に切り換え、受信状態が良好な状態に復帰すると元のデジタルテレビ放送の受信に切り換えられるテレビ受信装置が提供できる。
【図面の簡単な説明】
【図１】本発明の一実施の形態に係るテレビ受信装置の構成を示すブロック図である。
【図２】本発明の一実施の形態に係るテレビ受信装置の制御部２の行う切換処理のフローチャートである。
【符号の説明】
１・・・・デジタルテレビ放送受信部
１１・・・チューナ
１２・・・中間周波増幅回路
１３・・・ＡＧＣ検波回路
１４・・・同期検出回路
１５・・・復調回路
１６・・・誤り訂正回路
１７・・・信号処理部
１８・・・液晶表示部
１９・・・音声出力部
２・・・・制御部
２０・・・切換回路
２１・・・変化量検出回路
２２・・・ピーク量検出回路
２３・・・エラー量検出回路
２４・・・操作部
３・・・・他の入力源
【図１】
2005057371.tif 000003
【図２】
2005057371.tif 000004